(57)【要約】【課題】コンパクトで、しかも設置や移動に手間がかからず、また収納も簡単な生体信号検出装置を提供するものである。【解決手段】可撓性を持つ感圧手段２と、前記感圧手段２に重なり前記感圧手段２と交差する単一もしくは複数の柔軟な紐状部材３と、柔軟なフィルム状部材１とを有し、前記感圧手段１と前記紐状部材３を前記フィルム状部材１に一体に配置する構成とした。これによって、生体信号検出装置４は紐状部材３が柔軟であるため、どの方向にも曲げることができ、例えば巻き取ったりたたんだりして持ち運び、所望の場所に設置可能でまた、巻き取ったりたたんだりして収納することができる。【選択図】図７
2008284001.tif 000002
【特許請求の範囲】
【請求項１】
可撓性を持つ感圧手段と、前記感圧手段に重なり前記感圧手段と交差する単一もしくは複数の柔軟な紐状部材と、柔軟なフィルム状部材とを有し、前記感圧手段と前記紐状部材を前記フィルム状部材に一体に配置する構成とした生体信号検出装置。
【請求項２】
紐状部材を格子状に配置した請求項１記載の生体信号検出装置。
【請求項３】
紐状部材と弾性部材とにより感圧手段をはさむようにフィルム部材に一体に配置した請求項１または２記載の生体信号検出装置。
【請求項４】
複数の弾性部材を有し、紐状部材と前記弾性部材により感圧手段をはさむようにフィルム状部材に一体に配置し、前記弾性部材は前記紐状部材と重なる位置に配置する構成とした請求項３記載の生体信号検出装置。
【請求項５】
感圧手段に重なり、かつ前記感圧手段と交差する複数の紐状部材を有し、複数の紐状部材は重ならないように配置した請求項１記載の生体信号検出装置。
【請求項６】
紐状部材を網状とした請求項５記載の生体信号検出装置。
【請求項７】
可撓性を持つ感圧手段として、内側電極と感圧部材と前記内側電極を囲う外側電極により構成されたケーブル状の圧電センサを用いた請求項１〜６のいずれか１項記載の生体信号検出装置。
【請求項８】
請求項１〜７のいずれか１項記載の生体信号検出装置を用いた就寝装置。
【発明の詳細な説明】
【技術分野】
【０００１】
本発明は、心拍などの信号を検出する生体信号検出装置及びそれを用いたベッド等の就寝装置に関するものである。
【背景技術】
【０００２】
従来、この種の生体信号検出装置は、寝具や椅子など生体の荷重の掛かる製品に設置するもので、検出感度を向上させるため、生体信号検出手段と凹凸部材を組み合わせた構造を持つものがある。
【０００３】
具体的には、図１８，１９に示すように、複数の並列穴１０１ａ〜１０１ｄを形成した硬質部材１０２の上に感圧手段１０３を蛇行状に設置して、それをベッド床板１０４とマットレス１０５の間に設置してある。
【０００４】
ベッドの上に就寝する生体からの振動により、穴１０１ａ〜１０１ｄの縁(例えば点１０６)で感圧手段１０３に大きな曲げ変形が加えられるため、大きな信号が得られる（例えば、特許文献１参照）。
【０００５】
また、図２０に示すように、信号を検出する光ファイバー１０７を一対の凹凸部材１０８ａ，１０８ｂにはさみ、生体からの振動が加わったときに光ファイバー１０７を大きく屈曲させて大きな信号を得ようとするものである（例えば、特許文献２参照）。
【特許文献１】特開２００５−１３２５９号公報
【特許文献２】特開平８−５８４号公報
【発明の開示】
【発明が解決しようとする課題】
【０００６】
しかしながら、前記従来の構成では、硬質部材１０２は寝具と同程度の大きさがあり、大きくかさばるため、設置や移動に手間がかかり、また、この硬質部材２、或いは凹凸部材１０７ａ，１０７ｂが硬質であるため、小さく収納することが困難であるという課題があった。
【０００７】
本発明は、前記従来の課題を解決するもので、設置性と収納性の良い生体信号検出装置を提供することを目的とする。
【課題を解決するための手段】
【０００８】
前記従来の課題を解決するために、本発明の生体信号検出装置は、可撓性を持つ感圧手段と、前記感圧手段に重なり前記感圧手段と交差する単一もしくは複数の柔軟な紐状部材と、柔軟なフィルム部材を有し、前記感圧手段と前記紐状部材を前記フィルム部材に一体に配置した構成としたものである。
【０００９】
これによって、生体信号検出装置をどの方向にも曲げることができ、例えば巻き取ったり、たたんだりして持ち運び、所望の場所に設置できるし、収納することもができる。
【発明の効果】
【００１０】
本発明の生体信号検出装置は、巻き取りや畳む等することができ設置性と収納性の良い物を提供することができる。
【発明を実施するための最良の形態】
【００１１】
第１の発明は、可撓性を持つ感圧手段と、前記感圧手段に重なり前記感圧手段と交差する単一もしくは複数の柔軟な紐状部材と、柔軟なフィルム部材を有し、前記感圧手段と前記紐状部材を前記フィルム部材に一体に配置する構成としたものである。
【００１２】
これによって、可撓性を持つ検知手段と、単一もしくは複数の紐状部材のそれぞれが柔軟性を持つフィルム部材に設置されているので生体信号検出装置をどの方向にも曲げることができるので、例えば巻き取ったりたたんだりして持ち運び、所望の場所に設置。また、巻き取ったりたたんだりして収納することができる、設置性と収納性の良い生体信号検出装置を提供することができる。
【００１３】
第２の発明は、特に第１の発明において、紐状部材を格子状に配置して、より多数の点で感圧手段と紐状部材との交点ができ、柔軟性を損なわずに高い感度の生体信号検出装置を提供することができる。
【００１４】
第３の発明は、特に第１または第２のいずれか１つの発明において、弾性部材を有し、紐状部材と前記弾性部材により感圧手段をはさむようにフィルム部材に一体に配置する構成としたことで、どの方向に曲げることができるので、巻き取ったりたたんだりして持ち運び、所望の場所に設置、収納することができ、設置性と収納性の良い生体信号検出装置を提供することができる。また、上下逆に配置しても感圧手段には棒状部材の断面形状に沿って曲げ作用が加わり大きな信号出力が発生するため、高感度に生体信号を検出することができる。従って、裏表を考慮しなくても良い使い勝手の良い生体信号検出装置を提供することができる。
【００１５】
第４の発明は、特に第３の発明において、複数の弾性部材を有し、紐状部材と前記弾性部材により感圧手段をはさむようにフィルム部材に一体に配置し、前記弾性部材は前記費も状部材と重なる位置に配置する構成としたため、感圧手段が可撓性を持っており、なおかつ複数の棒状の弾性部材が分離しているため弾性部材および紐状部材と直行する方向に生体信号検出装置を曲げたり丸めたりすることが容易になり、設置性、収納性が向上する。
【００１６】
第５の発明は、可撓性を持つ感圧手段と前記感圧手段に重なりかつ前記感圧手段と交差する第１の単一もしくは複数の紐状部材と、前記第１の複数の紐状部材と共に前記感圧手段をはさむように第２の単一もしくは複数の紐状部材とを有し、前記第１の紐状部材と前記第２の紐状部材は重ならないように配置する構成としたため、どの方向に曲げることができるので、巻き取ったりたたんだりして持ち運び、所望の場所に設置、収納することができ、設置性と収納性の良い生体信号検出装置を提供することができる。また、裏表を考慮しなくても良い使い勝手の良い生体信号検出装置を提供することができる。
【００１７】
第６の発明は、特に第５の発明において、紐状部材を格子状に配置して、網状としたことで、より多数の点で感圧手段と紐状部材との交点ができ、柔軟性を損なわずに高い感度の生体信号検出装置を提供することができる。
【００１８】
第７の発明は、特に第１から第６のいずれか１つに記載の発明において、可撓性を持つ感圧手段として、内側電極と感圧部材と前記内側電極を囲う外側電極により構成されたケーブル状の圧電センサーを用いる構成としたので、信号を伝達する中心電極に対し外部電極がシールドの役を果たし外来電磁波ノイズの影響を受けにくい物となる。
【００１９】
よって、生体信号の収集や処理のために近くで電子機器を用いたり、携帯電話などの通信機器等を近くで使用してもノイズが重畳することの少ない信頼性の高い生体信号検出装置を提供することができる。
【００２０】
第８の発明は、特に第１から第７のいずれか１つに記載の発明において、生体の下に配置する柔軟性部材と前記柔軟性部材を支える構造体の間に配置したので、人体からの振動が柔軟性部材を介して伝わり生体信号検出装置に達したとき感圧手段には棒状部材の断面形状に沿って曲げ作用が加わり大きな信号出力が発生するため、高感度に生体信号を検出することができる。また、人体と生体信号検出装置の間に柔軟性部材が介するので、棒状部材等が人体に直接接することが無いため就寝を阻害しない物とすることができる。
【００２１】
以下、本発明の実施の形態について、図面を参照しながら説明する。なお、この実施の形態によって本発明が限定されるものではない。
【００２２】
（実施の形態１）
図１（ａ）において、布のような柔軟性のあるフィルム状部材１の表面に、可撓性を有したケーブル状圧電センサからなる感圧手段２が蛇行して縫い付けられ、図１（ｂ）において、その裏側には綿紐からなる複数の柔軟な紐状部材３がほぼ等間隔で互いに並行に縫い付けられて生体信号検知装置４をなしている。
【００２３】
この例のように配置することで、紐状部材３と感圧手段２とは約９０度の角度で複数の点で交差する。また、感圧手段２の出力端にはそれからの出力信号を処理する制御ユニット５が接続されている。
【００２４】
図２は就寝装置に使用したもので、ベッドの床板６の上に生体信号検出装置４が感圧手段２を縫い付けた面を上面にして配置され、その上にマットレス７がセットされている。図はその上に生体である人体８が就寝している状態を示す。
【００２５】
このとき、人体８からの振動はマットレス７を介して伝わり生体信号検出装置４に達する。そのときが感圧手段２には曲げ作用が加わり大きな信号出力が発生する。
【００２６】
実験において、直径約２．５mmの圧電センサからなる感圧手段２を用い、直径６ｍｍの紐状部材３を５０〜１００ｍｍ間隔で複数配置することで、良好な結果を得ることができた。また、感圧手段２の設置長Ａは、人体８の肩幅より大きく床板６の幅より小さい値にしてある。これにより感圧手段２は人体８の就寝位置がずれても、同人体８からの振動を受けることができる。
【００２７】
そして、図３（ａ）、（ｂ）に示すように感圧手段２が可撓性を有しており、なおかつ紐状部材３も柔軟性を有しているため、どの方向にも生体信号検出装置４を曲げたり丸めたりすることができる。
【００２８】
例えば、（ａ）のように感圧手段２に直行する方向にも、（ｂ）のように紐状部材３に直行する方向にも曲げることができるため、設置、収納が容易になる。
【００２９】
また、ベッドの床板６とマットレス７の間に設置するため、生体信号検出装置４と人体８の間にはマットレス７が介在することとなり、感圧手段２や紐状部材３が人体８に直接接する事が無く、就寝を阻害しない物とすることができる。
【００３０】
なお、生体信号検出装置４の就寝装置への配置場所に関しては本実施の形態に限られることは無く、床もしくは畳と敷布団の間でもかまわない。
【００３１】
また、この例ではベッドなどの就寝装置に生体信号検出装置４を設置する例を説明したが、これに限られることは無く、椅子や座布団などに設置して用いてもかまわない。その
場合例えば椅子の座面とクッションの間、畳と座布団の間に設置する。
【００３２】
さらに、フィルム状部材１しては布に限らず樹脂製シート等を用いてもよく、紐状部材３も綿などの天然繊維紐の他、合成繊維や化学繊維の紐でもかまわない。
【００３３】
フィルム状部材１に対する感圧手段２、圧電センサ１、紐状部材３の取付けに関しても縫い付けに限定されることはなく、接着などの方法も考えられよう。
【００３４】
紐状部材３の直径や配置間隔は一例であり、これに限定されるものではない。
【００３５】
また、紐状部材３は複数用いる例を示したが、図４に示すように、１本の紐状部材３を蛇行させて配置してもかまわない。
【００３６】
以下生体信号検出装置４の感圧手段２に用いる圧電センサ９について説明する。
【００３７】
図５において、圧電センサ９は、内側電極として導体からなる中心電極１０、感圧部材である圧電体層１１、導体からなる外側電極１２、弾性体からなる被覆層１３を備えている。
【００３８】
圧電体層１１はポリフッ化ビニリデン等の樹脂系の高分子圧電体や、特定の樹脂基材中に圧電セラミックスの粉体を混合した複合圧電体を用いることができる。そして外側電極１２は中心電極１０と圧電体層１１を囲うように配置されている。
【００３９】
圧電センサ９は同軸ケーブル状となるため、信号を伝達する中心電極１０に対し外部電極１２がシールドの役を果たし外来電磁波ノイズの影響を受けにくいものとなる。
【００４０】
よって、生体信号の収集や処理するために電子機器を近くで使用したり、携帯電話などの通信機器等を近くで使用したりしても圧電センサ９にノイズが重畳することの少ない信頼性の高い生体信号検出装置４を提供することができる。
【００４１】
尚、中心電極１０と外側電極１２を持つ同軸ケーブル状の圧電センサ９を例として示したが、他に中心導体が複数あるケーブル、中心導体が外側電極の中心から偏心しているケーブル、断面形状が円形ではないケーブルなどを用いても同様の効果がある。
【００４２】
次に、感圧手段２の出力信号の処理例と、人体８からの生体信号の検出作用を説明する。図５において、制御ユニット１４は、検出手段１５、判定手段１６、報知手段１７を備えている。検出手段１５は、感圧手段２からの出力信号を所定の濾波特性で濾波し、かつ、所定の増幅度で増幅を行うフィルタ部１８と、このフィルタ部１８の出力信号を予め設定された設定値と比較を行うコンパレータ部１９とを備えている。
【００４３】
フィルタ部１８の濾波特性としては、例えばノイズとして信号に重畳しやすい商用電源周波数は５０Ｈｚおよび６０Ｈｚであるが、生体８の信号、例えば心拍などは１Ｈｚ前後、呼吸などは０.１Ｈｚ前後、体動などは数Ｈｚの範囲なので、濾波特性としては例えば、０.０５Ｈｚ〜２０Ｈｚの信号成分を通過させるバンドパスフィルタとする。
【００４４】
以上のように構成された生体信号検出装置４について、以下その動作、作用を特に心拍を検出する場合について図７，図８に基づいて説明する。
【００４５】
図８は人体８の心拍に由来する振動が感圧手段２に加わったときの出力に対応するフィルタ部１８の出力信号Ｖとコンパレータ部１７の出力信号Ｊの経時変化を示している。
【００４６】
まず、図７のように、ベッドの上に人体８が横たわると、体重などの圧力や心拍等の振動等がマットレス７を介して感圧手段２に印加される。このとき感圧手段２が圧電センサの場合は、圧電センサが変形し、その圧電効果により圧電センサの変形の加速度に応じた信号が出力される。
【００４７】
そのため、変動の無い体重による圧力等は検出されず変動のある振動成分のみが検出され、例えば体の動きや呼吸、心拍信号等を検出する。このとき特に紐状部材３の部分で感圧手段２の曲げ変形が大きくなり、より大きな出力信号が得られる。
【００４８】
そして、感圧手段２の出力信号は、フィルタ部１８により心拍などの人体からの振動の接触時の周波数帯域である０.０５〜２０Ｈｚの信号を通過させ、他の周波数帯の信号は除去される。
【００４９】
図８にフィルタ部１８の出力信号Ｖを示す。心拍振動の検出時には、Ｖに基準電位Ｖ０より大きな信号成分が現れる。そして変形量の２次微分値である加速度も大きくなり、結果として感圧手段２の出力信号も大きくなる。コンパレータ部１９はＶのＶ０からの振幅｜Ｖ−Ｖ０｜がＤ０より大ならば心拍振動を検出した判定し、時刻ｔ１で判定出力としてＬｏ→Ｈｉ→Ｌｏのバルス信号を出力する。
【００５０】
上述したように、コンパレータ部１９から出力された信号が判定手段１６に入力され、例えば心拍信号の周期Δｔより心拍周期つまり心拍数がわかり、報知手段１７により心拍数を表示したり音声により報知したりできる。
【００５１】
（実施の形態２）
図９は実施の形態２を示し、紐状部材３を格子状に配置した点で実施の形態１と相違する。
【００５２】
このようにすることで、蛇行配置された感圧手段２と紐状部材３とは縦方向の交差点Ｂ１、Ｂ２のみならず、横方向の交差点Ｃ１、Ｃ２でも交差するから、柔軟性を損なうことなくより高い検出感度を実現できる。
【００５３】
紐状部材３の格子状に配置例としては、図１０のように感圧手段２と紐状部材３とが斜めに交差するものも考えられる。
【００５４】
（実施の形態３）
図１１、図１２は実施の形態３を示し、実施の形態１，２との違いは、生体信号検出装置４にスポンジのような弾性部材２０を配した点で、感圧手段２をスポンジ２０と紐状部材３で挟むように配置したものである。
【００５５】
すなわち、図１１に示す例では、スポンジ２０が床板６側になり、紐状部材３がマットレス７側になるように設置してある。以下に動作について説明する。
【００５６】
人体８からの振動はマットレス７と紐状部材３、およびフィルム状部材１を介して感圧手段２に伝わる。
【００５７】
このとき、スポンジ２０は歪みを生じ、紐状部材３は人体８の体重程度では歪まないため、感圧手段２は紐状部材３と共にスポンジ２０に窪み、その結果、感圧手段２は紐状部材３の断面形状に沿って曲げ作用が加わり大きな信号出力が発生する。
【００５８】
スポンジ２０の硬さは、人体８の体重やマットレス７の重量によって変形するがつぶれてしまわない程度の硬さを持つものが望ましく、例えばマットレス７程度の硬さのものが使用できる。
【００５９】
また、図１２に示すように、上下逆に配置してもよい。つまり、紐状部材３を床板６側、スポンジ２０をマットレス７側に配置することになるが、紐状部材３は人体８の体重程度では歪まないため、その人体８からの振動によりスポンジ２０は歪みを生じ、感圧手段２は紐状部材３と共にスポンジ２０は押圧により窪み込む。よって、感圧手段２は紐状部材３の断面形状に沿って曲げ作用が加わり、大きな信号出力が発生する。
【００６０】
以上から、の実施の形態２，３と違い、裏表を考慮に入れずに配置しても人体８からの信号を感度よく検出することができ、使い勝手の良い生体信号検出装置４０とすることができる。
【００６１】
そして、感圧手段２とスポンジ２０と紐状部材３が可撓性を持っているため、生体信号検出装置４を曲げたり丸めたりすることができ、設置、収納が容易になる。
【００６２】
（実施の形態４）
図１３，１４は実施の形態４を示し、実施の形態１〜３との違いは、生体信号検出装置４に複数の角断面の棒状スポンジのような弾性部材２１を紐状部材３と相対向するように配した点である。すなわち、感圧手段２を弾性部材２１と紐状部材３で挟むように配置している。そして、この例では、弾性部材２１が床板６側になり、紐状部材３がマットレス７側になるように設置してある。
【００６３】
そして、感圧手段２が可撓性を持っており、なおかつ弾性部材２１が分離しているために、弾性部材２１、および紐状部材３と直行する方向に生体信号検出装置４を曲げたり丸めたりすることが、さらに容易になり、設置性、収納性が向上する。
【００６４】
勿論、この構成において、上下逆に配置してもよい。
【００６５】
（実施の形態５）
図１５は実施の形態５を示し、実施の形態１〜４との違いは、生体信号検出装置４に第１紐状部材３ａと第２の紐状部材３ｂを配備して感圧手段２をはさむようにした点で、第１、第２紐状部材３ａ，３ｂは重ならないように配置している。つまり、第１、第２紐状部材３ａ，３ｂは互いに並行に配置して、第１紐状部材３ａが第２の紐状部材３ｂの間になるように配置してある。
【００６６】
ここで、人体８からの振動により第１、第２紐状部材３ａ，３ｂにはさまれた感圧手段２は、第１、第２紐状部材３ａ，３ｂの断面形状に沿って曲げ作用が加わり大きな信号出力が発生する。
【００６７】
また、生体信号処理装置４を裏にして使用しても同じように第１、第２紐状部材３ａ，３ｂの断面形状に沿って曲げ作用が加わり大きな信号出力が発生するため、裏表を考慮に入れずに配置できる使い勝手の良い生体信号処理装置４とすることができる。
【００６８】
ここでは、隣り合う第１紐状部材３ａの中間位置に第２紐状部材３ｂを配置するようにしている。そうすることにより、第２紐状部材３ｂの右側に隣接する第１紐状部材３ａとの間と、左側に隣接する第１紐状部材３ａとの間の双方で、感圧手段２に曲げ作用が発生するため効率よく生体信号を検出できる。
【００６９】
尚、これに限られることなく、第２紐状部材が、隣接する第１紐状部材の中間位置よりずれた位置に配置されていても、若干の効率の低下はあっても生体信号は検出可能である。
【００７０】
そしてさらに、どの方向にも生体信号検出装置４を曲げたり丸めたりすることができ、設置、収納が容易になる。
【００７１】
また、図１６のように、第１、第２紐状部材３ａ，３ｂを網状としても同様の効果が得られる。
【００７２】
実施の形態１から５において、感圧手段としては、ケーブル状の圧電センサの他、例えばＰＶＤＦ薄膜の両面を電極で挟んだフィルム状またはリボン状の圧電センサを用いても同様の効果が得られる。但し、センサ自体を導電性シートで包みシールドするなどの電磁波ノイズ対策は適宜行うものとする。さらに、押圧変形に感応して透過光が変調する特性を持つ光ファイバを用いても同様の効果がある。
【００７３】
さらに、就寝装置以外に、例えば図１７に示すように椅子２２の座面２３にも生体信号検出装置４を容易に設置できるため、例えば、椅子、マッサージチェアのようなリラクゼーション機器、自動車用座席、娯楽施設の座席等に設置して、生体信号を検出するシステムとしても適用できる。
【産業上の利用可能性】
【００７４】
以上のように、本発明にかかる生体信号検出装置は、感圧手段に交差するように感度を増加させるための複数の紐状部材を備えることで容易に曲げることができるため、従来のような設置の手間がなく、上記のように簡単にベッドに設置して生体信号の取得に活用できるとともに、局面を持った部材にも配置できる。また、ペット用マット等、動物の生体信号を検出する用途にも応用可能である。
【図面の簡単な説明】
【００７５】
【図１】（ａ）は本発明の実施の形態１における生体信号検出装置の表面の構成図、（ｂ）は同生体信号検出装置の裏面の構成図
【図２】本発明の実施の形態１における生体信号検出装置を配置したベッドの構成図
【図３】（ａ）は本発明の実施の形態１における曲げられた生体信号検出装置の斜視図、（ｂ）は同生体信号検出装置を別方向に曲げた斜視図
【図４】実施の形態１における別の形態の生体信号検出装置の構成図
【図５】本発明の実施の形態１における圧電センサの断面図
【図６】本発明の実施の形態１における生体信号検出装置のブロック図
【図７】本発明の実施の形態１における生体信号検出装置をベッドに配置した時の要部断面図
【図８】本発明の実施の形態１における生体信号検出装置で、人体からの生体信号を受けたときのフィルタ部の出力信号Ｖとコンパレータ部の出力信号Ｊの経時変化を示す特性図
【図９】実施の形態２における生体信号検出装置の構成図
【図１０】実施の形態２における別の形態の生体信号検出装置の構成図
【図１１】本発明の実施の形態３における生体信号検出装置をベッドに配置した時の要部断面図
【図１２】本発明の実施の形態３における生体信号検出装置をベッドに配置した時の要部断面図
【図１３】本発明の実施の形態４における生体信号検出装置をベッドに配置した時の要部断面図
【図１４】実施の形態４における別の形態の生体信号検出装置の構成図
【図１５】本発明の実施の形態５における生体信号検出装置をベッドに配置した時の要部断面図
【図１６】実施の形態５における別の形態の生体信号検出装置の構成図
【図１７】本発明の利用可能性を示す形態の生体信号検出装置を配置した椅子の構成図
【図１８】第１従来例の生体信号検出装置の構成図
【図１９】第１従来例の生体信号検出装置をベッドに配置した時の要部断面図
【図２０】第２従来例の生体信号検出装置の構成図
【符号の説明】
【００７６】
１  フィルム状部材
２  感圧手段
３，３ａ，３ｂ  紐状部材
４  生体信号検出装置
９  圧電センサ
【図１】
2008284001.tif 000003
【図２】
2008284001.tif 000004
【図３】
2008284001.tif 000005
【図４】
2008284001.tif 000006
【図５】
2008284001.tif 000007
【図６】
2008284001.tif 000008
【図７】
2008284001.tif 000009
【図８】
2008284001.tif 000010
【図９】
2008284001.tif 000011
【図１０】
2008284001.tif 000012
【図１１】
2008284001.tif 000013
【図１２】
2008284001.tif 000014
【図１３】
2008284001.tif 000015
【図１４】
2008284001.tif 000016
【図１５】
2008284001.tif 000017
【図１６】
2008284001.tif 000018
【図１７】
2008284001.tif 000019
【図１８】
2008284001.tif 000020
【図１９】
2008284001.tif 000021
【図２０】
2008284001.tif 000022